(57)【要約】  第１証印が基板表面に付けられている状態で実質的に平らな基板を有するバリューカードを提供する。不透明物質で形成された被覆層は、第１証印の上に配置され、第１証印の少なくとも一部が見れないようにする。被覆層は、不透明物質が第１証印の少なくとも一部を出現させるために取り除くことができるが、第１証印の上に再び付けられないように構成されている。バリューカードは、予め決められたパターンを有する第２証印を有する機密保護デバイスをさらに有する。第２証印の少なくとも一部は、第１証印の少なくとも一部を出現させるために不透明物質を取り除くと第２証印の少なくとも一部もまた取り除かれるように、被覆層の上に形成されている。
2010531021.tif 000002
【特許請求の範囲】
【請求項１】
実質的に平らな基板と、
前記基板の表面に付けられた第１証印と、
前記第１証印の少なくとも一部が見れないように前記第１証印の上に配置されている、不透明物質で形成された前記第１証印を覆い隠す被覆層であって、前記不透明物質は、前記第１証印の少なくとも一部を出現させるために取り除くことができるが、前記第１証印の上に再び付けられないように構成されている、前記被覆層と、
予め決められたパターンの第２証印を有する機密保護デバイスであって、前記第２証印の少なくとも一部は、前記第１証印の少なくとも一部を出現させるために前記不透明物質を取り除くと前記第２証印の少なくとも一部もまた取り除かれるように、前記被覆層の上に形成されている、前記機密保護デバイスと、
を有することを特徴とするバリューカード。
【請求項２】
前記第１証印は、前記基板の表面に直接付けられていることを特徴とする請求項１に記載のバリューカード。
【請求項３】
前記第１証印は、前記基板に接着されているキャリヤ層の上に形成されていることを特徴とする請求項１に記載のバリューカード。
【請求項４】
前記第２証印は、複数の英数字を含むことを特徴とする請求項１に記載のバリューカード。
【請求項５】
前記パターンは、サブパターンの定期的な繰り返しを含むことを特徴とする請求項１に記載のバリューカード。
【請求項６】
前記第２証印は、前記被覆層の上に形成される第１の証印部分と、前記被覆層に隣接する前記基板の表面の上に形成される第２の証印部分とを有し、
前記第１の証印部分と前記第２の証印部分とは、前記パターンが前記被覆層の上と前記被覆層に隣接する基板の表面の両方の上を連続して延びるように構成されていることを特徴とする請求項１に記載のバリューカード。
【請求項７】
前記第２証印は、表面形状の変化として形成されることを特徴とする請求項１に記載のバリューカード。
【請求項８】
前記第２証印は、複数のバリューカード間で変化することを特徴とする請求項１に記載のバリューカード。
【請求項９】
前記不透明物質は、はがし取れる物質であることを特徴とする請求項１に記載のバリューカード。
【請求項１０】
バリューカード上に改ざんを明らかにする機密保護デバイスを実現する方法であって、
カード基板の表面に第１証印を付ける工程と、
前記第１証印の少なくとも一部の上に不透明物質を付けて前記第１証印を覆い隠す被覆層を形成する第１工程であって、前記被覆層は、前記不透明物質が前記第１証印の少なくとも一部を出現させるために取り除くことができるが、前記第１証印の上に再び付けることができないように構成されている、前記第１工程と、
予め決められたパターンの第２証印を有する機密保護デバイスを形成する第２工程であって、前記第２証印の少なくとも一部は、前記第１証印の少なくとも一部を出現させるために前記不透明物質を取り除くと前記第２証印の少なくとも一部もまた取り除かれるように前記被覆層の上に形成されている、前記第２工程と、
を有することを特徴とする方法。
【請求項１１】
前記第１証印は、前記カード基板の表面に直接付けられていることを特徴とする請求項１０に記載の方法。
【請求項１２】
前記第１証印は、前記カード基板に接着されたキャリヤ層の上に形成されていることを特徴とする請求項１０に記載の方法。
【請求項１３】
前記第２証印は、複数の英数字を含むことを特徴とする請求項１０に記載の方法。
【請求項１４】
前記パターンは、サブパターンの定期的な繰り返しを含むことを特徴とする請求項１０に記載の方法。
【請求項１５】
前記機密保護デバイスを形成する工程は、
前記被覆層の上に第１の証印部分を形成し、前記被覆層に隣接する前記カード基板の表面の上に第２の証印部分を形成する工程を有し、
前記第１の証印部分と前記第２の証印部分とは、前記パターンが前記被覆層の上と前記被覆層に隣接するカード基板の表面の両方の上を連続して延びるように構成されていることを特徴とする請求項１０に記載の方法。
【請求項１６】
前記第２証印は、エンボス加工、デボス加工、および物質除去法からなる組みのうちの１つを使用して表面形状の変化として形成されることを特徴とする請求項１０に記載の方法。
【請求項１７】
前記第２証印は、複数のバリューカード間で変化することを特徴とする請求項１０に記載の方法。
【請求項１８】
前記不透明物質は、はがし取れる物質であることを特徴とする請求項１０に記載の方法。
【発明の詳細な説明】
【技術分野】
【０００１】
本発明は、バリューカードの個人識別番号の機密保護方法およびデバイスに関する。
【背景技術】
【０００２】
ギフトカードと電話用トランザクションカードは、世界中のほぼ全ての小売店で販売され利用可能である。これらのカードが成功した理由の一つは、現金を持つ必要なしにまたは予め口座を作らずに、ユーザが商品を購入したりサービスを受けられるからである。これらのカードの機密保護は、カードの表面に印刷され、スクラッチオフラベル（削れるラベル）の下に隠されている個人識別番号(ＰＩＮ：Personal identification number)の使用により達成される。ユーザは、カードを購入し、個人識別番号を明らかにするためにスクラッチオフラベルの一部を取り除き、次に、コントロールナンバーと個人識別番号とを使用することによりカードを起動させる。また、コントロールナンバーは、ユーザが簡単に見ることができるようにカード表面に印刷されている。
【０００３】
トランザクションカードの人気が増すにつれ、カードの悪用事故もまた増加している。悪用法の１つは、個人識別番号（ＰＩＮ）を見るためにスクラッチオフラベルを十分な量だけ取り除いてから、次に、着色物質またはインクで損傷領域を適切に被覆する方法を含む。個人識別番号とコントロールナンバーを知ることができると、カードを実際に物理的に所持しないでもカードの価値を引き出すことができる。信用している買い手は、慎重な精査なしにカードを買ってからカードの機密保護が破られていることを発見する。あるいはまた、小売店は、カードに対する損傷を見つける。しかしながら、小売店あるいは買い手が損傷を発見する時までに、おそらく悪用が起こり得る。
【０００４】
従って、トランザクションカードが悪用にさらされているか否かを直ちに識別できるデバイスが必要である。
【発明の概要】
【０００５】
本発明の１つの態様は、基板表面に付けられた第１証印を持つ実質的に平らな基板を有するバリューカードを提供する。不透明物質で形成された被覆層は、第１証印の少なくとも一部が見れないように第１証印の上に配置される。被覆層は、不透明物質が第１証印の少なくとも一部を出現させるために取り除くことができるが、第１証印の上に再び付けることができないように構成されている。バリューカードは、さらに、予め決められたパターンの第２証印を含む機密保護デバイスを有する。第２証印の少なくとも一部は、第１証印の少なくとも一部を出現させるために不透明物質を取り除くと第２証印の少なくとも一部もまた取り除かれるように、被覆層の上に形成されている。
【０００６】
付随の図面は、例示の実施例を示し、以下に示す詳細な説明を理解するのを補助する。図示された実施例は、例示であり、本発明の総合的な範囲を制限するものではないことが理解される。詳細な説明は、以下の図を参照してなされる。
【図面の簡単な説明】
【０００７】
【図１】例示の実施例に基づくバリューカードの表側を示す図である。
【図２Ａ】機密保護機能が損傷していない状態の例示の実施例に基づくバリューカードの裏側を示す図である。
【図２Ｂ】機密保護機能が損傷した状態の例示の実施例に基づくバリューカードの裏側を示す図である。
【図３】例示の実施例に基づくバリューカードを形成する製造工程を示すフローチャートである。
【図４】本システム、本方法、および本デバイスが実施される例示のネットワークを示す図である。
【発明を実施するための形態】
【０００８】
図を通して、同じ参照番号は、同じエレメント、特徴、および構造を示す。
【０００９】
この記載で示される事柄は、付随の図を参照して開示された様々な例示の実施例を包括的に理解する補助として提供される。従って、当業者は、特許請求の範囲に記載された本発明の趣旨と範囲から逸脱せずに、本明細書に記載された例示の実施例の様々な変更と変更を行うことができることを認めるであろう。よく知られている機能と構成の記載は、明快さと簡潔さのために省略する。
【００１０】
図１は、例示の実施例に基づくバリューカードの表側を示す図である。バリューカードは、ギフトカードやテレホンカードやデビットカードなどのトランザクションカードを含む。本明細書は、例示の実施例をバリューカードの例示の応用を通して開示する。しかしながら、本明細書で開示された機密保護デバイスは、その応用をバリューカードに限定せず、改ざんが起こると、改ざんを目で見て識別が明らかなように、機密保護を必要とする証印の上に配置されるいかなる物質にも適用することができる。
【００１１】
バリューカードについて言うと、バリューカードは、いかなる物理的形状と構成とを含んでもよいし、いかなる種類の物質を含んでもよい。いくつかの例示の実施例では、バリューカードは、標準のクレジットカードあるいはデビットカードと類似の方法で構成されており、プラスチックで作られ、同じまたは類似の大きさと特徴とを有する。いくつかの例示の実施例では、バリューカードは、カードに類似するものであるが、標準のクレジットあるいはデビットカードとは異なる大きさを有するものであり、例えば、キーホルダーカード、折りたたみ紙カード、メタルカードなどである。さらに、バリューカードは、カードに類似しないものであり、例えば、キーホルダー、ミニチュア像、および/または、通信デバイスなどである。いくつかの例示の実施例では、バリューカードは、ユーザが所望の構成を選択することを可能にする複数の構成で利用可能である。例えば、バリューカードは、標準のクレジットカードの大きさのカード、および／または、小さいキーホルダーカード、および/または、キー飾りとして利用可能である。
【００１２】
例示の実施例では、バリューカードは、電気的特徴、および/または、磁気的特徴を含むことができる、例えば、マイクロプロセッサ、メモリ、電子チップ、磁気細長片、ユニバーサル・シリアル・バス（ＵＳＢ）フラッシュドライブ、無線通信デバイスなどを含むことができる。例えば、バリューカードは、カードの裏面に配置された磁気片を持つようなクレジットまたはデビットカードと同じかまたは類似の特徴を持ち、それにより、標準のクレジットカード読取器と互換性を有してもよい。また、バリューカードは、「スマートカード」と同様の方法で構成されてもよい。バリューカード上のメモリは、バリューカードに関連する他の種類の情報と同様に、ユーザ、第三者、プロセッサ、および/または、過去の取引に関する情報を記憶するように構成されてもよい。いくつかの例示の実施例では、バリューカードは、ＵＳＢ、同軸ケーブルなどの有線機器、および/または、Bluetooth（登録商標）、および/または、電波による固体識別（ＲＦＩＤ）技術などを使用する無線機器と通信し合うように構成されてもよい。
【００１３】
バリューカードは、識別証印（identification indicia）を持ってもよい、例えば、英字、数字、英数字、画像、浮きだし数字、符号化された磁気片、埋め込まれた電子チップ、バーコード、および/または、当技術分野で知られているような他の識別証印などの識別証印を持ってもよい。いくつかの例示の実施例では、それぞれのバリューカードのためにユニークな識別証印があってもよい。あるいはまた、バリューカードのいくつかあるいは全ては、同じ識別証印を含むか、または、グループ内で同じ識別証印を持つが、他のグループと異なる証印を持つバリューカードのグループであってもよい。
【００１４】
識別証印は、バリューカードをユーザ、第三者、プロセッサ、小売店、および/または、他のエンティティと関連づけるように構成されてもよい。関連づけは、バリューカードから遠く離れて配置されたメモリ、またはバリューカード自体上に配置されたメモリによって達成されてもよい。例えば、バリューカード、および/または、ユーザに関する情報は、遠く離れたデータベースに記憶されてもよい、および/または、バリューカードの磁気片に埋め込まれてもよい。さらに、バリューカードは、例えば、請求書作成者の特有の電話番号、および/または、商標などによって、カード上で目で見てわかる証印を使用する特定の第三者と関連付けられる。
【００１５】
図１に示されるように、バリューカード１００は、表側１００ａを持つ基板１０１を含み、表側１００ａにはオプションに識別情報１０２が印刷されているが、ここでは、「ＡＢＣ会社」として例で示されている。基板１０１は、カードボード、紙またはプラスチックにより形成され、一般に、クレジットカードのような矩形形状と大きさを有する。しかしながら、基板１０１は、基板上に印刷またはデポジットされる、個人識別番号(ＰＩＮ)などの第１証印を収容することができるどんな物質からも形成することができ、形状と寸法に関して制限は無い。例えば、バリューカードは、ステンレス鋼基板から実質的に米国の銀ドルの大きさと同じディスク形状で形成することができる。
【００１６】
図２Ａと図２Ｂは、それぞれ、バリューカード１００の裏面１００ｂを示す。裏面１００ｂは、第１証印セット１０６が付けられる証印領域１０３を持つ。第１証印セット１０６は、印刷などで証印領域１０３上に直接付けられるか、または、基板１０１に接着されたキャリヤ層を介して付けられる。第１証印セット１０６は、特別のイベント(例えば、ユーザに対するカードの有効化または販売)が起こるまで隠されている個人識別番号(ＰＩＮ)あるいはカード特有のコントロールナンバーなどの情報を含んでいる。取り除き可能な被覆層１１２は、その端部に向かって、第１証印セット１０６の上に付けられている。被覆層１１２は、容易に取り除くことができる不透明物質の層であるが、取り除く時に破壊するか、目で見て識別できかつ修復不可能に損傷するものである。被覆層１１２は、インク、クリアコーティングを持つインク、「スクラッチオフ（削れる）」物質または「ラブオフ（剥がれる）」物質、および接着性片を含むが、これらに限定されない。被覆層１１２は、例えば、インクスプレー、ホットホイルスタンプ、ワックスまたはステッカーなど当業者に知られている物質と方法を使用して貼るまたは付けることができる。被覆層１１２は、第１証印セット１０６の少しあるいは全てを隠すために配置される。
【００１７】
被覆層１１２は、第１証印の上を覆う基板１０１の証印領域１０３に直接付けられる。第１証印セット１０６がキャリヤ層に付けられている実施例では、被覆層は、第１証印の上を覆うキャリヤ層に付けられている。
【００１８】
また、バリューカード１００はまた機密保護デバイス１１０を含み、機密保護デバイス１１０は、被覆層１１２の少しまたは全てを取り除く試みが目で見て識別できるように構成されている。機密保護デバイス１１０は、いくつかの実施例では、被覆層１１２上に、または被覆層１１２に塗り重ねて、または被覆層１１２中に、または、被覆層１１２を取り囲む裏面１００ｂの表面または表面中に形成されている第２証印のセットを含んでもよい。第２証印１１４は、複製することが難しい文字または図の均一パターンまたは不均一パターンであってもよい。これは、例えば、被覆層１１２を横切って周期的にまたはランダムに配置された英数字テキストを含んでもよい。あるいはまた、第２証印１１４は画像、図形記号または幾何的図形を含んでもよい。例示の実施例では、第２証印１１４のパターンは、カードからカードで、あるいはカードのグループ間で変化してもよい。
【００１９】
図２Ａは、機密保護デバイス１１０と被覆層１１２が損傷していない第１条件のバリューカード１００を示す。図２Ｂは、被覆層１１２の一部が取り除かれ、第１証印１０６の一部が目で見て識別できる第２条件のバリューカード１００を示す。機密保護デバイス１１０の損傷は、被覆層１１２の少しあるいは全てを取り除くことによって容易に識別することができる。したがって、小売店と買い手となる人は、バリューカード１００の機密保護が破られたことにすぐに気づくことができる。
【００２０】
第２証印１１４は、インクあるいはワニスなどの目に見えるあるいは目に見えない印刷媒体で付けてもよい。印刷媒体は、被覆層１１２、および/または、所望のにじむ特性を持つ物質と共存できるように選択されてもよい。例示の実施例では、印刷媒体は、紫外線または赤外線インクを含んでもよい。例示の実施例では、印刷媒体は、溶媒コーティングを含む。溶媒コーティングは、水あるいは他の物質などの溶媒を含むインクを含んでもよい。印刷媒体は、被覆層１１２が基板１０１に付けられたときあるいはその後で、被覆層１１２に付けられる。第１証印１０６と被覆層１１２がキャリヤ層に付けられる実施例では、印刷媒体は、キャリヤ層が基板１０１に接着される前または後で付けられる。
【００２１】
印刷に代わる手段として、第２証印１１４は、機械的エンボスまたは機械的デボスまたは物質のレーザ除去によって作られる表面形状（表面の等高線）の変化によって形成される。表面形状の変化は、被覆層１１２が基板１０１に付けられた後になされる。第１証印１０６と被覆層１１２がキャリヤ層に付けられる実施例では、表面形状の変化は、キャリヤ層が基板１０１に接着される前または後で付けられる。
【００２２】
機密保護デバイス１１０は、被覆層１１２上に配置されるアップリケを含んでもよい。アップリケは、第２証印１１４を保持する。このようなアップリケは、少なくとも部分的にアップリケが破壊されないと取り除けないような接着物質によって被覆層１１２に付けられる。
【００２３】
特定の実施例では、第２証印１１４は、被覆層１１２の境界を越えて基板１０１の表面上または表面中に第２証印１１４が延びるように構成されている。そのような実施例では、第２証印１１４の形態または媒体は、基板１０１から第２証印１１４の取り除きを難しくさせるまたは不可能にさせる。これは、機密保護の複製をより難しくするのに役立つ。なぜなら、被覆層１１２と機密保護デバイス１１０を取り替えるか、または複製する試みは、複製された第２証印１１４のパターンが基板１０１上に印刷されている永続する第２証印１１４と調和することを要求するからである。第２証印が２つの異なる背景と質感を持つ２つの異なる表面上に形成されるので、どんな矛盾も強調して表示する。
【００２４】
図２Ａと図２Ｂに示されるように、バリューカード１００は、また識別情報１０７と、磁気片１０４と、関連するバーコード１０９を持つコントロールナンバー１０８とを持つ。オプションの磁気片１０４とバーコード１０９の両方は、機械で読み取り可能であり、バリューカード１００に関する情報、例えば、発行会社、初期値、発行領域、適用可能な用途、使用期間などを含むことができる。
【００２５】
図３は、例示の実施例に基づくバリューカードを形成する製造工程を示すフローチャートである。２００で、バリューカード１００を形成するために、証印領域１０３上に配置された第１証印１０６を持つ基板１０１を受け取る。第１証印１０６は、例えば、個人識別番号（ＰＩＮ）などである。２１０で、不透明な被覆層１１２は、第１証印１０６の少し又は全てを隠すように、基板１０１上に配置される。２２０で、機密保護デバイス１１０は、いくつかの実施例では、被覆層１１２上に形成される、または被覆層１１２とともに同時に形成される。基板１０１と被覆層１１２と機密保護デバイス１１０とは、図２Ａと図２Ｂで上記説明された通りのものである。機密保護デバイス１１０は第２証印１１４を含む。第２証印１１４は、被覆層１１２が第１証印１０６を出現させるために取り除かれるときに損傷するかまたは除去される。第２証印１１２は、複製することが難しいパターンを含む。特定の実施例では、第２証印は、第１部分が被覆層１１２上に形成され、第２部分が被覆層に隣接する基板１０１上に形成される。第２証印１１４の第１部分と第２部分は、パターンが被覆層１１２の周辺部を横切って連続して延びるように形成されてもよい。特定の実施例では、第１部分と第２部分は１つの操作で形成される。
【００２６】
上記説明したように、第２証印１１４は、印刷媒体で形成される。その場合に、第２証印を形成する動作は、第２証印を形成するために印刷する、重ねて印刷する、あるいは、印刷媒体を付ける工程を含む。あるいはまた、第２証印は、被覆層中に、ある場合には基板中に、表面形状（表面の等高線）の変化を確立することによって形成されてもよい。これらの例では、第２証印を形成する動作は、エンボス加工、デボス加工、またはレーザ蒸発などの物質除去法を含む。
【００２７】
上記に記載された動作は、記載された順序で実行する必要はないことが理解される。例えば、第１証印は、キャリヤ層の上に最初に形成され、キャリヤ層が基板に接着される前に、キャリヤ層に被覆層と機密保護デバイスとを付ける。
【００２８】
図４に、本システムの実施例、方法、デバイスの実施例が実施される例示の製造ネットワークを示す。例示の実施例では、第１証印ステーション４０５を含む製造システム４００が提供され、個人識別番号(ＰＩＮ)などの第１証印がインクジェットまたは他の印刷手段などによって基板に付けられる。第１証印ステーション４０５は、基板が移動路に沿って進むとき、平らなカード部材などの基板の表面に第１証印を印刷または配置する。基板は、第１証印とともにオフラインの位置で、または別の位置で、またはインライン位置で、印刷され得ることが可能である。
【００２９】
第１証印ステーション４０５によって第１証印を基板表面に印刷または配置した後で、基板は移動路を前進し、例示の実施例では、第１証印上に剥離剤コーティングを付ける。液体または物質の剥離剤コーティングは、通常は約２ミル未満の厚さであり、好ましくは、約０.０００２〜約０.０００５インチの厚さであり、最大約０.００２インチの厚さにすることができる。剥離剤コーティングは、好ましくは透明であるが、美的目的のために染色することができるので、澄んでいる必要はない。通常は、剥離剤コーティングは、(もし使用される場合)、剥離剤コーティングを通して第１証印を見ることができるような厚さと色を有する。
【００３０】
不透明に覆い隠す被覆コーティングは、被覆ステーション４１０により提供され、被覆ステーション４１０は、計量ロールと係合し、基板表面上のプレート(パッド)から覆い隠す被覆物質を放出するように取り付けられた印刷パッドの形態の印刷プレートを持つプレートシリンダを含む。
【００３１】
剥離剤コーティングは、インクコーティングが印刷技術で付けられるとき、フレキソ技術あるいはフレキソインクを含むそれに類似する方法で付けることができる。従って、剥離剤コーティングは、第１証印の上の基板表面に付けられるプリントインクコーティングと呼ぶことができ、例示の実施例は、紫外線硬化ランプによる放射/紫外線硬化である。紫外線硬化は、好ましい硬化方法であるが、ある場合には、当業者に知られている、電子ビーム、青色光、レーザおよび他の放射光硬化方法を含む他の種類の放射光硬化を使用することができる。
【００３２】
剥離剤コーティングは、使用される基板の種類に依存し、いつも用いる必要はない。基板表面によって生成する表面張力の大きさは、不透明に覆い隠す被覆コーティング層の取り除きやすさに影響する。例示の実施例では、被覆コーティングは、当業者に知られている銀インクで形成され、ある場合に、被覆層は、剥離剤コーティング無しに第１証印に損傷を与えずに取り除くことができる。例示の実施例では、被覆コーティングは銀インクであるが、コーティングは当業者に知られているあらゆる不透明インクで形成することができる。
【００３３】
第２証印ステーション４１５は、第１の被覆コーティングの上に、第２のインクコーティング、被覆コーティング物質、または他の印刷された証印を付けるために使用することができる。第２証印ステーション４１５の位置は、被覆コーティングを付ける前に第１証印の上に層を印刷するために使用する場合には、当然、変更可能である。例示の実施例では、第２証印ステーション４１５は、インクジェットプリントステーションを含み、被覆コーティングの上に(または下に、プリントステーションの位置に依存する)不透明な指紋パターンまたは類似パターンを付けることができる。第２証印は、その上に取り付けられたくぼみを有するプレートシリンダまたはドラムによって生成することができる。プレートシリンダまたはドラムは、計量ロールに係合し、基板表面上のプレート(パッド)からまたはインクのスプレーパターンを経由して、剥離剤または覆い隠す被覆物質を移送する。例示の実施例では、被覆コーティング物質は、スクラッチオフ物質（削れる物質）を含む。くぼみプレート(印刷パッド)は、ゴム印刷パッド、または感光性樹脂版、および/または、他の可撓性プレートまたはパッド物質を含む、当業者によって通常知られて使用されている物質から形成することができる。第２証印ステーション４１５は、第２証印を含む不透明に覆い隠す被覆コーティング上に機密保護の証印を付けることができる。したがって、もしも被覆コーティングと第２証印の少なくとも一部が取り除かれ、かつラベルがその場所に付けられていた場合、買い手は、第２証印を目で見て識別できないので改ざんが起こったことを知るであろう。すなわち、第２証印は損傷しているであろう。第２証印は、更なる機密保護のために使用することができ、基板の上に印刷されたコードを制御するために対応することができる。被覆コーティングを付けてから層、コーティング、または証印を付ける間に、通常の黒インクが提供されるが、当業者に知られているような他のインクを提供することができる。
【００３４】
例示の実施では、溶媒コーティングは、証印を運ぶために使用することができる。溶媒コーティングは、熱で乾燥することができる水や他の物質などの溶媒を含むインクを含むことができる。また、エポキシと類似の硬化する二液システムを含むコーティングを使用することができる。当業者によって知られているような他のコーティングを使用することができる。また、基板搬送機構は、ドラム、ロール、プレート、または他のベルト機構を含むいかなる搬送機構であってもよい。上記説明したように、指紋パターンは被覆コーティングに適用することができる。
【００３５】
例示の実施例では、当業者に知られているパーソナルコンピュータあるいは他のコントローラシステムを含むコントローラ４２０を使用することができる。第１証印ステーション４０５、目で見えなくする被覆ステーション４１０、第２証印ステーション４１５、レーザセンサ、ＤＣモータドライブ、サーボドライブ(モータ)、エンコーダ、紫外線ステーションのためのシャッタ制御、他のモーター、ベルトコンベアのために使用されるエンコーダ、およびシステムの他のコンポーネントは、全て動作可能にコントローラ４２０と接続されている。有線又は無線ネットワークを含むインターネットなどのネットワークを通して接続することができる。
【００３６】
動作中、センサーは、前進する基板の前端を検出し、コントローラ４２０に前端の位置を登録する。基板が前進する工程を通して、コンベアベルトドライブの駆動モータとエンコーダは、基板全体の正確な位置の制御を維持する。サーボドライブ(モータ)は、動作可能にそれぞれのプレートシリンダあるいはドラムに接続され、コーティングが基板表面の特定位置に付けられるように、剥離剤コーティングと被覆コーティングと証印とを決められた時間で付けるように回転制御を維持する。
【００３７】
本発明は、特に例示の実施例を参照して記載されてきたが、当業者は、付属の特許請求の範囲および同等物によって画定される本発明の趣旨と範囲とから逸脱することなしに、様々な形態および詳細の変更を成してもよいことを理解するであろう。
【図１】
2010531021.tif 000003
【図２Ａ】
2010531021.tif 000004
【図２Ｂ】
2010531021.tif 000005
【図３】
2010531021.tif 000006
【図４】
2010531021.tif 000007
【国際調査報告】
2010531021.tif 000008